(57)【要約】【課題】現場で撮影した画像データを迅速に入手し、また、所定フォーマットで入手する。【解決手段】デジタルカメラ１０で撮影された現場写真は電子メール形式でインターネット１２を介してメールサーバ１４に送信される。メールサーバは、電子メールから画像データを抽出しＡＳＰサーバ１６に供給する。ＡＳＰサーバ１６は、電子メールのサブジェクト内に含まれるデジタルカメラ１０のＩＤからデジタルカメラ１０の管理端末を特定し、特定した管理端末に対して電子メールの受信通知を行う。さらに、ＡＳＰサーバ１６は、画像データを所定フォーマットのファイル形式に加工し、管理端末からの要求に応じてファイルデータを提供する。【選択図】        図１
2004164129.tif 000002
【特許請求の範囲】
【請求項１】
撮像手段から電子メールの形式で送信された画像データを処理するシステムであって、
前記電子メールのサブジェクトに含まれるデータ毎に前記画像データを記憶する手段と、
前記画像データを所定のファイルフォーマットに編集する手段と、
端末からの要求に従い、前記所定のファイルフォーマットに編集されたファイルを前記端末に送信する手段と、
を有することを特徴とする画像データ処理システム。
【請求項２】
請求項１記載のシステムにおいて、さらに、
前記撮像手段に予め付与された識別データと前記撮像手段の管理端末を関連付けてテーブルとして記憶する手段と、
前記電子メールのサブジェクトに含まれる前記撮像手段の識別データ及び前記テーブルに基づき前記撮像手段を管理する管理端末を特定する手段と、
特定した前記管理端末に前記電子メールの受信通知を送信する手段と、
を有することを特徴とする画像データ処理システム。
【請求項３】
請求項１記載のシステムにおいて、さらに、
前記撮像手段に予め付与された識別データと前記所定のファイルフォーマットを関連付けてテーブルとして記憶する手段と、
を有し、
前記編集する手段は、前記電子メールのサブジェクトに含まれる前記撮像手段の識別データに基づき前記所定のファイルフォーマットを特定することを特徴とする画像データ処理システム。
【請求項４】
請求項１記載のシステムにおいて、
前記電子メールのサブジェクトには前記撮像手段で画像データを取得した撮影時データが含まれ、
前記編集する手段は、前記撮影時データを用いて編集することを特徴とする画像データ処理システム。
【請求項５】
請求項１〜４のいずれかに記載のシステムにおいて、
前記画像データは工事現場の画像データであることを特徴とする画像データ処理システム。
【請求項６】
請求項１〜５のいずれかに記載のシステムにおいて、
前記撮像手段はデジタルカメラであることを特徴とする画像データ処理システム。
【発明の詳細な説明】
【０００１】
【発明の属する技術分野】
本発明は画像データ処理システム、特にデジタルカメラ等の撮像手段から電子メール形式で送信された画像データを処理して端末に提供するシステムに関する。
【０００２】
【従来の技術】
従来より、工事現場等において工事の進捗状況を記録する等を目的として、多数の現場写真を撮影し、これらを建設会社がそれぞれ所定のフォーマットに編集あるいは加工している。一方、建設の事業計画、調査・設計、施工、維持管理までの施設のライフサイクル全般にわたる各種情報を電子化し、技術情報や取引情報をネットワークを介して交換及び共有して生産性の向上を図るいわゆる建設ＣＡＬＳが提唱され、デジタルカメラの進展と相俟って現場写真をデジタルカメラで取得してデジタル画像データ（デジタル写真データ）として効率的に管理、編集、加工しようとの要望が生じている。
【０００３】
なお、従来には、デジタルカメラで撮影した画像をコンピュータあるいは通信機能付きの携帯電話で情報管理本部に送り、情報管理本部でユーザのホームページに画像を掲載し、あるいは電子メールで当該画像をユーザに送信するものがある。
【０００４】
【特許文献１】
特開２００２−１５０５４号公報
【０００５】
【発明が解決しようとする課題】
しかしながら、上記従来技術においては、デジタルカメラで取得した画像をコンピュータあるいは通信機能を有する携帯電話で送信せざるをえず、現場の作業者がデジタルカメラの他にこれらの電子機器の操作に習熟する必要がある。また、情報管理本部に送信された画像データは単にホームページに掲載されるのみであってユーザはホームページにアクセスして所定のフォーマットに編集あるいは加工しなければならない。さらに、複数の画像データが送信された場合において情報管理本部がどのように画像データを処理あるいは整理するかについては全く記載されていない。
【０００６】
本発明は上記従来技術の有する課題に鑑みなされたものであり、その目的は、現場で得られた画像データを迅速に管理あるいは編集あるいは加工してユーザに提供することができるシステムを提供することにある。
【０００７】
【課題を解決するための手段】
上記目的を達成するために、本発明は、撮像手段から電子メールの形式で送信された画像データを処理するシステムであって、前記電子メールのサブジェクトに含まれるデータ毎に前記画像データを記憶する手段と、前記画像データを所定のファイルフォーマットに編集する手段と、端末からの要求に従い、前記所定のファイルフォーマットに編集されたファイルを前記端末に送信する手段とを有することを特徴とする。画像データは撮像手段から電子メール形式、すなわち電子メールの添付ファイルとして送信され、当該電子メールのサブジェクト（件名）に含まれるデータを用いて画像データを処理することで、ユーザは画像データを利用したファイルを容易に入手することができる。本発明において、電子メールのサブジェクトに含まれるデータの機能は、撮像手段から順次送信されてくる電子メールに添付された画像データの整理であるが、整理した画像データを所定のファイルフォーマットに編集する際のフォーマットを規定するパラメータとしても機能し得る。電子メールのサブジェクトデータを任意とするのではなく、予め規定することで編集作業を容易化できる。
【０００８】
ここで、前記撮像手段に予め付与された識別データと前記撮像手段の管理端末を関連付けてテーブルとして記憶する手段と、前記電子メールのサブジェクトに含まれる前記撮像手段の識別データ及び前記テーブルに基づき前記撮像手段を管理する管理端末を特定する手段と、特定した前記管理端末に前記電子メールの受信通知を送信する手段とをさらに有することが好適である。受信通知を受け取ることで、ユーザは画像が確かに送信され記憶された（さらには編集された）ことを容易に知ることができる。なお、受信通知には、受信電子メールのサブジェクトに含まれる各種データを含ませることも可能である。
【０００９】
また、前記撮像手段に予め付与された識別データと前記所定のファイルフォーマットを関連付けてテーブルとして記憶する手段とを有し、前記編集する手段は、前記電子メールのサブジェクトに含まれる前記撮像手段の識別データに基づき前記所定のファイルフォーマットを特定することも好適である。
【００１０】
また、前記電子メールのサブジェクトには前記撮像手段で画像データを取得した撮影時データが含まれ、前記編集する手段は、前記撮影時データを用いて編集することも好適である。
【００１１】
前記画像データは、例えば工事現場の画像データとすることができ、前記撮像手段は、例えばデジタルカメラとすることができる。
【００１２】
【発明の実施の形態】
以下、図面に基づき本発明の実施形態について説明する。
【００１３】
図１には、本実施形態のシステム概念図が示されている。撮像手段としてのデジタルカメラ１０は無線によりインターネット１２に接続され、取得した画像データを電子メール形式でメールサーバ１４に送信する。デジタルカメラ１０から電子メールを送信する際の宛先（メールアドレス）は予めデジタルカメラ１０内のメモリに設定されており、ユーザは送信ボタンを操作するのみで所定の宛先に電子メールを送信できることが望ましい。デジタルカメラ１０から直接電子メール形式で画像データを送信することで、現場作業者は容易かつ迅速に送信できる。画像データは電子メールの添付ファイルとして送信され、画像データがＪＰＥＧフォーマットで取得されている場合、ＪＰＥＧ画像データをＢａｓｅ６４等のエンコーダを用いてテキストデータに変換して送信する。
【００１４】
メールサーバ１４は、インターネット１２経由でデジタルカメラ１０から送信された電子メールを受信し、当該電子メールに添付された画像データを抽出してＡＳＰサーバ１６に供給する。デジタルカメラ１０において複数の画像データを取得し、これら複数の画像データを１通ずつ電子メール形式で送信した場合、メールサーバ１４は複数の電子メールを受信することとなり、メールサーバ１４は、各電子メールのサブジェクト（件名）のデータに基づき画像データを仕分けしてＡＳＰサーバ１６に供給する。サブジェクト内のデータとは、具体的にはプロジェクト番号であり、より詳しくはフォルダプロジェクト番号である。デジタルカメラ１０においては、送信先毎にフォルダが形成されており、取得した画像データは各フォルダにまとめて記憶される。同一送信先に異なる画像データ群を送信する場合、単一のフォルダではこれらの画像データを互いに識別することができない。そこで、デジタルカメラ１０では、これら複数の画像データを各フォルダに付されたプロジェクト番号で管理する。プロジェクト番号は、電子メールのサブジェクトに自動挿入されメールサーバ１４に送信される。メールサーバ１４では、サブジェクト内のプロジェクト番号に基づき画像データを仕分けしてＡＳＰサーバ１６に供給する。
【００１５】
ＡＳＰサーバ１６では、メールサーバ１４から供給されたプロジェクト番号毎の画像データをデータベースに記憶し、各プロジェクト番号毎に記憶された画像データを用いて所定のフォーマットに編集あるいは加工してファイルデータを生成する。同時に、ＡＳＰサーバ１６は、デジタルカメラ１０から電子メールを受信したとき、より正確にはメールサーバ１４から画像データを受信したときに、電子メールのサブジェクトに含まれるデジタルカメラ１０のＩＤに基づき当該デジタルカメラ１０を管理する管理端末を特定し、当該管理端末に受信通知を送信する。受信通知は、インターネット１２を介して電子メール形式で送信することができる。デジタルカメラ１０を管理する管理端末１８、２０は、ＡＳＰサーバ１６からの受信通知を受けることによりデジタルカメラ１０で取得された画像データが確かにＡＳＰサーバ１６に格納されたことを確認できる。複数のデジタルカメラ１０からの画像データを受信した場合、ＡＳＰサーバ１６はそれぞれのデジタルカメラ１０を管理する端末に対してそれぞれ受信通知を送信する。
【００１６】
ユーザ（デジタルカメラ１０の管理者）は、画像データファイルが必要な際には、管理端末１８（あるいは２０）を用いてＡＳＰサーバ１６にアクセスし、ＡＳＰサーバ１６にて編集あるいは加工されたファイルデータを取得して端末の表示装置に表示する。管理者は、管理端末１８の表示装置に表示されたファイルデータを視認することで、現場においてデジタルカメラ１０で取得された画像データを確認し、さらに画像データが編集されてなる所定フォーマットのファイルを得ることができる。
【００１７】
図２には、図１におけるデジタルカメラ１０の構成ブロック図が示されている。デジタルカメラ１０は、ＣＭＯＳやＣＣＤ等のセンサ１０ａ、ＤＳＰ１０ｂ、ＣＰＵ１０ｃ、メモリインタフェース（Ｉ／Ｆ）１０ｄ、ＪＰＥＧコーデック１０ｅ、メモリ１０ｆ及び通信インタフェース（Ｉ／Ｆ）１０ｇを有して構成される。センサ１０ａで得られた画像データはＤＳＰ１０ｂで処理された後、ＪＰＥＧコーデック１０ｅによりＪＰＥＧフォーマットに変換圧縮されてメモリ１０ｆに記憶される。メモリ１０ｆは、例えばフラッシュメモリである。ＣＰＵ１０ｃは、画像データをメモリ１０ｆに記憶する際に、送信先毎に作成されたフォルダにて一括管理する。例えば、送信先が１，２の２箇所ある場合、送信先番号を有するフォルダ１，２が作成され、送信先１に送るべき画像データをフォルダ１に順次記憶し、送信先２に送信すべき画像データをフォルダ２に順次記憶する。ＣＰＵ１０ｃは、各送信先フォルダにプロジェクト番号を初期値から付与していく。撮影日時も同時にメモリ１０ｆに記憶され、さらに取得した画像データについての基本情報、例えば工事現場写真であれば撮影時の状況や撮影部位などのデータもメモリ１０ｆに格納しておく。撮影された画像データを送信する際には、ＣＰＵ１０ｃは送信先フォルダ内に記憶されている画像データを電子メールの添付ファイルとしてテキストデータに変換して添付し、また、当該電子メールのサブジェクトにプロジェクト番号等のデータをメモリ１０ｆから取得して自動挿入し、メールサーバ１４に送信する。
【００１８】
通信速度が十分でない場合、複数の画像データを一度に送信すると何らかの障害により通信中断が生じうる。したがって、デジタルカメラ１０は、送信先フォルダ内に複数の画像データが格納され、これら複数の画像を送信する場合でも複数回に分けて送信することが好適である。例えば、２４枚の画像データが送信先フォルダ１に格納され、これら全てを送信する場合、１通に１枚の画像データを割り当てて合計２４通の電子メールに分けて送信する。合計２４通の電子メールの各サブジェクトのプロジェクト番号は同一である。送信先フォルダ内の全ての画像データを送信した後、ＣＰ１０ｃはメモリ１０ｆに記憶されていた送信済みの画像データを消去し、また、当該送信先フォルダのプロジェクト番号を１だけインクリメントして次回の送信に備える。なお、複数の画像データのそれぞれには初期値からインクリメントしたユニークなｎｎｎｎｎｎｎｎｎｎ．ｊｐｇ等のファイル名を付して互いを識別する。
【００１９】
図３には、デジタルカメラ１０から送信される電子メールのサブジェクトに含まれるデータが模式的に示されている。電子メール２２は、ヘッダ、サブジェクト、本文及び添付ファイルから構成され、本実施形態においては、サブジェクトはＡＡＡＡＡＡＡＡＡＡ−ＢＢ−ＣＣＣＣＣＣ−ＤＤＤＤＤＤＤＤＤＤ−ＥＥＥＥＥＥＥＥＥＥＥＥ−ＦＦＦ−ＧＧＧのフォーマットである。ここで、Ａはデジタルカメラ１０にユニーク（一意）に割り当てられた番号であり、ＩＤ（識別番号）として機能する。このＩＤは例えばＡＳＣＩＩ数字１０桁である。Ｂは送信先番号であり、例えば０１〜０５に設定される。既述の如く、送信先番号は送信先フォルダ名を兼ねる。Ｃはフォルダプロジェクト番号であり、例えばＡＳＣＩＩ数字６桁で規定される。送信先番号で設定されるフォルダ内のファイルが全て送信された後、フォルダプロジェクト番号は自動的にインクリメントされる。Ｄはファイル連番であり、例えばＡＳＣＩＩ数字１０桁で規定される。Ｅは撮影日時である。Ｆはフォルダ内の連番であり、例えばＡＳＣＩＩ数字３桁で規定される。Ｇはフォルダ内ファイル総数であり、フォルダ内ファイル連番Ｆの最終番号とフォルダ内ファイル総数Ｇの数字が一致するファイルが最終ファイルとなる。電子メールのサブジェクトは、現場作業者あるいはデジタルカメラ１０の操作者が入力するのではなく、デジタルカメラ１０のＣＰＵ１０ｃが送信時に自動作成する点に留意すべきである。メールサーバ１４では、このようなフォーマットからなるサブジェクトから特にデジタルカメラ固有番号Ａ、プロジェクト番号Ｃ、撮影日時Ｅを用いて画像データを管理する。
【００２０】
なお、ＣＰＵ１０ｃは、電子メールの本文にも所定のテキストデータを自動挿入して送信することができる。
【００２１】
図４には、本実施形態におけるデジタルカメラ１０、メールサーバ１４、ＡＳＰサーバ１６及び管理端末１８（あるいは２０）の処理の流れが示されている。まず、デジタルカメラ１０で所望の画像データを撮影し、得られた画像データをデジタルカメラ１０から電子メール形式で順次送信する。メールサーバ１４では、インターネット１２経由でデジタルカメラ１０から送信された電子メールを受信し、電子メールのサブジェクトに含まれるプロジェクト番号毎にメールを仕分けして画像データをＡＳＰサーバ１６に送信する。例えば、プロジェクト番号０００００１の画像１，２，３，４、プロジェクト番号０００００２の画像１，２，３，４等である。ＡＳＰサーバ１６では、メールサーバ１４から送信された画像データを受信し、受信画像データをプロジェクト番号毎にデータベースに登録する。画像データを受信しデータベースに登録した後、当該画像データを送信したデジタルカメラ１０の管理端末を特定し、特定した管理端末に対して受信完了通知を送信する。管理端末の特定は、メールサーバ１４から画像データと併せて送信されたデジタルカメラのＩＤに基づき行われる。そして、データベースに記憶した画像データを所定のファイルフォーマットに編集あるいは加工してファイルデータを生成し登録する。管理端末では、ＡＳＰサーバ１６から受信完了通知を受け取ると、ＡＳＰサーバ１６にアクセスし、ＡＳＰサーバ１６にて編集あるいは加工されたファイルデータにアクセスし、必要なファイルを表示しあるいは印刷等して取得する。
【００２２】
この流れにより、デジタルカメラ１０は単にインターネット１２を介してメールサーバ１４に電子メールを送信すればよく、また管理者は管理端末を操作してＡＳＰサーバ１６にアクセスするのみでデジタルカメラ１０にて撮影した現場の画像データ並びにファイルデータを容易に取得できることがわかる。
【００２３】
図５には、ＡＳＰサーバ１６の構成ブロック図が示されている。ＡＳＰサーバ１６は、一般のサーバコンピュータと同様に通信インタフェースＩ／Ｆ、ＣＰＵ、ＲＯＭやＲＡＭ等のメモリを有し、さらにユーザ属性を記憶するデータベース、画像データを記憶するデータベース及び画像データを所定のファイルフォーマットに編集加工して得られたファイルデータを記憶するデータベースを有する。ユーザ属性データベースには、本サービスを利用するユーザ（管理者）の基本情報、例えば名称や住所の他、管理端末のアドレス、管理者が管理するデジタルカメラ１０のＩＤがテーブルとして記憶されている。ＡＳＰサーバ１６は、このユーザ属性データベースに記憶されたテーブルを用いてどのデジタルカメラ１０から画像データが送信され、どの管理端末に対して受信完了通知を送信すべきかを特定する。なお、ユーザ属性データベースには、この他にユーザＩＤやパスワードも記憶され、管理端末からＡＳＰサーバ１６にアクセスする場合のユーザ認証データとして用いられる。ユーザ属性データベースには、当該ユーザが所望するファイルフォーマットを記憶しておくこともできる。この場合、ＡＳＰサーバ１６は、サブジェクトに含まれるＩＤから管理者を特定し、管理者のフォーマットに従って画像データを編集する。
【００２４】
以下、サーバ（メールサーバ１４とＡＳＰサーバ１６をまとめてサーバと称する）側の処理と管理端末１８側の処理をより詳細に説明する。
【００２５】
図６には、サーバ側の処理フローチャートが示されている。まず、デジタルカメラ１０からのメールを順次受信し（Ｓ１０１）、メールのサブジェクト内のプロジェクト番号毎に画像データを仕分けてデータベースに記憶する（Ｓ１０２）。次に、電子メールのサブジェクト内のＩＤデータから当該ＩＤを有するデジタルカメラ１０を管理する管理端末１８をテーブルを用いて特定する（Ｓ１０３）。
【００２６】
図７にはユーザ属性データベースに記憶されるテーブルの一例が示されている。ユーザ属性テーブルには、デジタルカメラ１０のＩＤ毎にそのユーザ（管理者）の情報及び管理端末１８が関連付けて記憶されている。例えば、ＩＤが０００００００００１に対してユーザ情報Ａ、管理端末Ｔ１の如くである。Ｓ１０３の処理では、このテーブルを用いて電子メールサブジェクト内のＩＤから一義的に管理端末１８を特定する。複数のデジタルカメラ１０から電子メールを受信した場合、複数のデジタルカメラ１０は互いに異なるＩＤを有することからそれぞれの管理端末１８を特定できる。デジタルカメラ１０のＩＤから管理端末１８を特定した後、特定した管理端末１８に電子メールの受信完了通知を送信する（Ｓ１０４）。受信完了通知には、デジタルカメラ１０のＩＤ、受信した画像枚数、撮影日時の各データを含ませることができる。これらはいずれも受信済み電子メールのサブジェクトにあるデータである。そして、データベースにプロジェクト番号毎に記憶されている画像データを読み出し、所定のファイルフォーマットに編集してファイルデータベースに記憶する（Ｓ１０５）。ファイルフォーマットは基本的にはユーザ属性（ユーザ情報）により決定されるが、電子メールの本文にファイルフォーマットに関するデータが含まれている場合、このフォーマットデータに基づいて編集してもよい。
【００２７】
ファイル作成後、受信完了通知を行った管理端末１８からの要求に応じ、当該管理端末１８に対して編集済みのファイルを送信する（Ｓ１０６）。
【００２８】
図８には、データベースに記憶される画像データが模式的に示されている。画像データはプロジェクト番号毎に仕分けされて記憶される。例えば、プロジェクト番号０００００１に画像データＰ１〜Ｐ５が記憶される。電子メールに本文データが存在する場合、この本文データもプロジェクト番号毎に仕分けてデータベースに記憶する。本文データは、管理者が各プロジェクト毎に一括して予めデジタルカメラ１０に登録しておく。例えば、現場の状況や場所等である。
【００２９】
図９には、管理端末１８側の処理フローチャートが示されている。まず、インターネット１２経由でサーバ（ＡＳＰサーバ１６）にアクセスし（Ｓ２０１）、ユーザ名やパスワードを入力する（Ｓ２０２）。ユーザ認証が終了すると、次にユーザ（管理者）は必要なファイルを要求する処理に移行する。すなわち、画像データとしての写真を要求する場合には、「写真の整理」ボタンあるいはメニューを操作することで写真一覧画面をサーバに要求する（Ｓ２０３、Ｓ２０４）。また、アルバム表示を要求する場合には「アルバム表示」ボタンあるいはメニューを操作してアルバム画面を要求する（Ｓ２０５、Ｓ２０６）。さらに、アルバム登録を希望する場合には、「アルバム登録」ボタンあるいはメニューを操作し、アルバム登録画面を要求する（Ｓ２０７，Ｓ２０８）。
【００３０】
図１０〜図１３には、上述した各処理における管理端末１８の画面例が示されている。工事現場の画像を撮影した場合の例である。
【００３１】
図１０はサーバにアクセスし、ユーザ名とパスワードを入力して認証が完了した後の初期画面である。画面所定位置に「写真の整理」や「工事アルバム」ボタンが表示され、サーバのデータベースに登録されている写真のフォルダが表示される。フォルダはプロジェクト番号毎に作成されたものである。管理者は、所望のフォルダをクリックすることで選択し、「写真の整理」ボタンを操作することでフォルダ内の写真を一覧表示することできる。
【００３２】
図１１には、写真の整理画面例である。選択したフォルダ内の写真が一覧形式で表示される。各写真の下にはその写真の番号がハイパーテキスト形式で表示され、これをクリックすることでアルバム登録画面に移行する。
【００３３】
図１２には、所望のフォルダを選択し、「工事アルバム」ボタンを操作した場合の画面例である。選択したフォルダ内の各写真が所定のアルバム形式に編集されて表示される。図において、フォルダ内の写真は縦一列に表示され、各写真の右側にはその写真の基本データ、具体的には撮影日時や状況、部位、内容が一覧表示される。ここで、撮影日時はサブジェクト内の撮影日時データから取得でき、状況や部位、内容は電子メールの本文データから取得できる。
【００３４】
図１３には、アルバム登録画面が示されている。選択した写真が表示され、さらに写真の下に日付、状況、部位、内容の各項目が表示される。管理者は、各項目を適宜選択修正してアルバムの内容を修正する。
【００３５】
このように、本実施形態においては管理者は管理端末を操作するのみでデジタルカメラ１０で撮影された現場の画像データを視認することができ、かつ、現場の画像データを用いたアルバム等の所定フォーマットのファイルを容易に入手することができる。
【００３６】
以上、本発明の実施形態について説明したが、本発明はこれに限定されるものではなく種々の変更が可能である。例えば、本実施形態においては複数の画像データをアルバム形式に編集する場合について説明したが、任意のフォーマット、例えば公的機関が要求するフォーマットに編集することもできる。これにより、ユーザ（管理者）は公的機関に提出する書類の作成処理を大幅に低減できる。フォーマットのテンプレートを複数データベースに登録しておき、ユーザ（管理者）がテンプレートを選択することでフォーマットを指定できるように構成することも可能である。
【００３７】
また、本実施形態では工事現場を例にとり説明したが、他の分野においても同様に本システムを適用することができる。例えば、医療分野において、急病患者が発生した場合、救急隊員が現場で患者の様子や患部をデジタルカメラ１０で取得し、当該画像データを電子メールでデジタルカメラ１０からサーバに直接送信する。サーバでは受信した画像データを診察容易なフォーマットに編集あるいは加工し、特定の救急病院の端末に送信する。当該フォーマットの一例は、まず患者の全体画像を配置し、次に患部の上半身拡大画像、下半身拡大画像、患部の拡大画像と順次配置する等である。どのフォーマットで編集するかは、電子メールのサブジェクトに含まれるデジタルカメラのＩＤから特定される。もちろん、サブジェクトにフォーマットを指定するコードデータを付与してもよい。救急病院の端末も、デジタルカメラ１０から送信されたＩＤで特定する。特定の救急病院のドクターは、サーバから送られた画像データを端末で確認することで、救急患者の容態や症状等を迅速かつ的確に把握し、救急隊員に適切な処置を指示できるとともに病院側の治療準備を整えることができる。
【００３８】
また、保険分野においても各種事故現場の現場写真を撮影する必要があり、デジタルカメラ１０で現場の画像データを取得し、これらの画像データをサーバに送信して保険会社に供給することにより、現場のデータは迅速且つ整理された形で保険会社に提供されることとなる。
【００３９】
また、本実施形態においては画像データとして写真を例に取り説明したが、静止画ではなく動画、さらには音声付きの画像データとすることも可能である。
【００４０】
また、撮像手段もデジタルカメラに限定されるものではなく、画像データ取得機能及び通信機能を備える任意の情報処理端末を用いることができる。
【００４１】
【発明の効果】
以上説明したように、本発明によれば現場の画像データを迅速に入手し、また、所定のフォーマットに編集、加工された形で入手することができる。
【図面の簡単な説明】
【図１】実施形態のシステム概念図である。
【図２】図１におけるデジタルカメラの構成ブロック図である。
【図３】電子メールのフォーマット説明図である。
【図４】デジタルカメラ、メールサーバ、ＡＳＰサーバ、管理端末の処理フローチャートである。
【図５】ＡＳＰサーバの構成ブロック図である。
【図６】サーバ側の処理フローチャートである。
【図７】ＡＳＰサーバのデータベースに記憶されるユーザ属性テーブルの説明図である。
【図８】ＡＳＰサーバのデータベースに記憶される画像データ説明図である。
【図９】管理端末側の処理フローチャートである。
【図１０】管理端末の画面例（その１）である。
【図１１】管理端末の画面例（その２）である。
【図１２】管理端末の画面例（その３）である。
【図１３】管理端末の画面例（その４）である。
【符号の説明】
１０  デジタルカメラ、１２  インターネット、１４  メールサーバ、１６  ＡＳＰサーバ、１８，２０  管理端末。
【図１】
2004164129.tif 000003
【図２】
2004164129.tif 000004
【図３】
2004164129.tif 000005
【図４】
2004164129.tif 000006
【図５】
2004164129.tif 000007
【図６】
2004164129.tif 000008
【図７】
2004164129.tif 000009
【図８】
2004164129.tif 000010
【図９】
2004164129.tif 000011
【図１０】
2004164129.tif 000012
【図１１】
2004164129.tif 000013
【図１２】
2004164129.tif 000014
【図１３】
2004164129.tif 000015